(57)【特許請求の範囲】
【請求項１】
相互に通信可能な２台以上のオーディオ機器を有するオーディオシステムであって、
該オーディオシステム中の２台のオーディオ機器を、一方を親機、他方を子機とするステレオペアとして設定するステレオペア設定手段を有し、
前記親機は、前記オーディオ信号を遅延する第１のバッファを備え、２チャンネルのオーディオ信号を、前記子機に送信するとともに、そのうち一方のチャンネルのオーディオ信号を前記第１のバッファで前記子機との通信遅延時間だけ遅延して再生し、
前記子機は、前記オーディオ信号を遅延する第２のバッファを備え、前記親機から前記２チャンネルのオーディオ信号を受信し、そのうち他方のチャンネルのオーディオ信号を前記第２のバッファを介さずに再生する
オーディオシステム。
【請求項２】
各オーディオ機器には、それぞれの前記ネットワーク上の接続形態に基づく優先順位が設定されており、
前記ステレオペア設定手段は、前記２台のオーディオ機器のうち、高い優先順位が設定されているオーディオ機器を親機として設定する請求項１に記載のオーディオシステム。
【請求項３】
前記ステレオペア設定手段は、前記２台のオーディオ機器に設けられた操作部と、各操作部に対するそれぞれ所定の操作を検出する操作検出手段と、を含み、
前記２チャンネルのオーディオ信号は、左チャンネルおよび右チャンネルからなるオーディオ信号であり、前記各操作部に対してされた操作に応じて、前記２台のオーディオ機器への前記左／右チャンネルの割り当てが決定される
請求項１または請求項２に記載のオーディオシステム。
【請求項４】
前記ステレオペア設定手段は、前記左／右チャンネルのうち第一のチャンネルを割り当てる操作が行われたオーディオ機器がペア設定要求を送信し、前記左／右チャンネルのうち第二のチャンネルを割り当てる操作が行われたオーディオ機器が該ペア設定要求を受信することで、前記ステレオペアが設定される請求項３に記載のオーディオシステム。
【請求項５】
前記２台のオーディオ機器は、前記ステレオペアの設定中、それぞれに割り当てられた再生チャンネルを報知する報知部を、さらに備えた請求項１乃至請求項４のいずれかに記載のオーディオシステム。
【請求項６】
前記親機および子機に加えて第３のオーディオ機器で、同一のオーディオ信号を同期再生させるグループを形成するグループ形成手段を有し、
前記第３のオーディオ機器は、前記オーディオ信号を遅延する第３バッファを備え、２チャンネルのオーディオ信号を、前記親機および子機に送信するとともに、この２チャンネルのオーディオ信号を前記第３バッファで前記親機および子機との通信遅延時間だけ遅延して再生し、
前記親機は、前記第３のオーディオ機器から前記２チャンネルのオーディオ信号を受信し、そのうち一方のチャンネルのオーディオ信号を前記バッファで遅延することなく再生し、
前記子機は、前記第３のオーディオ機器から前記２チャンネルのオーディオ信号を受信し、そのうち他方のチャンネルのオーディオ信号を再生する
請求項１乃至請求項５のいずれかに記載のオーディオシステム。
【請求項７】
複数の他のオーディオ機器がネットワークで接続されたオーディオ機器であって、
同一のオーディオ信号を再生するペアとなる他のオーディオ機器の設定、および、右チャンネルおよび左チャンネルのいずれか一方を再生チャンネルとする設定を含むペア設定の入力を受け付ける操作部と、
前記他のオーディオ機器とデータ通信を行う第一通信制御部と、
前記ペア設定された他のオーディオ機器に対する親子関係を、前記ネットワーク上の接続形態に基づく優先順位に基づき、自機に高い優先順位が設定されている場合は親機として決定し、自機に低い優先順位が設定されている場合は子機として決定する決定部と、
前記親子関係を含む前記ペア設定に関連するペア設定情報を記憶する第一記憶部と、
コンテンツのオーディオ信号を再生する音声再生部と、
を備え、
前記第一通信制御部は、親機である場合には子機となる他のオーディオ機器に前記オーディオ信号を送信し、子機である場合には親機となる他のオーディオ機器から該オーディオ信号を受信し、
前記音声再生部は、前記オーディオ信号を遅延するバッファを備え、前記ペア設定中、前記オーディオ信号から、前記再生チャンネルのオーディオ信号を抽出し、該抽出したオーディオ信号を、親機である場合には前記バッファで前記子機との通信遅延時間だけ遅延させた遅延再生を行い、子機である場合には遅延させない非遅延再生を行う、
オーディオ機器。
【発明の詳細な説明】
【技術分野】
【０００１】
この発明は、複数のオーディオ機器がネットワークで接続されたオーディオシステム、および、該オーディオシステムを構成するオーディオ機器に関する。
【背景技術】
【０００２】
リビング、寝室などの各部屋に配置されたオーディオ機器などの複数の再生デバイスをＬＡＮなどのネットワーク（ホームネットワーク）に接続し、携帯端末装置において各オーディオ機器における楽曲等のコンテンツの再生などを制御するオーディオシステムがある（たとえば、特許文献１参照）。特許文献１に記載のオーディオシステムでは、ユーザが、携帯端末装置において同期再生グループを設定し、同一グループに所属する複数のオーディオ機器に同一コンテンツの同期再生を行わせる構成が記載されている。
【先行技術文献】
【特許文献】
【０００３】
【特許文献１】特開２０１５−１０００８５号公報
【発明の開示】
【発明が解決しようとする課題】
【０００４】
上述のようなオーディオシステムでは、複数のオーディオ機器で同期再生を行わせることが可能であるが、各オーディオ機器で再生出力される音声は同一となってしまっていた。たとえば、２つのオーディオ機器が所属するグループにおいて同期再生させる場合、再生したいコンテンツがステレオ信号の場合であっても、各オーディオ機器が単一のスピーカユニット（モノラルスピーカ）しか有していない場合、各オーディオ機器ではモノラル出力しかすることができなかった。
【０００５】
この発明は、２つのオーディオ機器を組み合わせて同期再生を行う場合にステレオ再生を行わせることができるオーディオシステム、および、オーディオ機器を提供することを目的とする。
【課題を解決するための手段】
【０００６】
本発明の第１の側面によって提供されるオーディオシステムは、相互に通信可能な２台以上のオーディオ機器を有する。オーディオシステム中の２台のオーディオ機器を、一方を親機、他方を子機とするステレオペアとして設定するステレオペア設定手段を有する。親機は、オーディオ信号を遅延する第１のバッファを備え、２チャンネルのオーディオ信号を、子機に送信するとともに、そのうち一方のチャンネルのオーディオ信号を第１のバッファで子機への送信に要する時間だけ遅延して再生する。子機は、オーディオ信号を遅延する第２のバッファを備え、親機から２チャンネルのオーディオ信号を受信し、そのうち他方のチャンネルのオーディオ信号を第２のバッファを介さずに再生する。
【０００７】
上記発明において、各オーディオ機器に、それぞれのネットワーク上の接続形態に基づく優先順位が設定されていてもよい。ステレオペア設定手段は、２台のオーディオ機器のうち、高い優先順位が設定されているオーディオ機器を親機として設定してもよい。
【０００８】
上記発明において、ステレオペア設定手段は、２台のオーディオ機器に設けられた操作部と、各操作部に対するそれぞれ所定の操作を検出する操作検出手段と、を含んでもよい。２チャンネルのオーディオ信号は、左チャンネルおよび右チャンネルからなるオーディオ信号であってよく、各操作部に対してされた操作に応じて、２台のオーディオ機器への左／右チャンネルの割り当てが決定されてもよい。
【０００９】
上記発明において、ステレオペア設定手段は、左／右チャンネルのうち第一のチャンネル（たとえば左チャンネル）を割り当てる操作が行われたオーディオ機器がペア設定要求を送信し、左／右チャンネルのうち第二のチャンネル（たとえば右チャンネル）を割り当てる操作が行われたオーディオ機器がこのペア設定要求を受信することで、ステレオペアが設定されてもよい。
【００１０】
上記発明において、２台のオーディオ機器は、ステレオペアの設定中それぞれに割り当てられた再生チャンネルを報知する報知部をさらに備えてもよい。
【００１１】
上記発明において、前記親機および子機に加えて第３のオーディオ機器で、同一のオーディオ信号を同期再生させるグループを形成するグループ形成手段を有してもよい。第３のオーディオ機器は、オーディオ信号を遅延する第３バッファを備え、２チャンネルのオーディオ信号を、親機および子機に送信するとともに、この２チャンネルのオーディオ信号を第３バッファで親機および子機との通信遅延時間だけ遅延して再生する。親機は、第３のオーディオ機器から２チャンネルのオーディオ信号を受信し、そのうち一方のチャンネルのオーディオ信号をバッファで遅延することなく再生する。子機は、第３のオーディオ機器から２チャンネルのオーディオ信号を受信し、そのうち他方のチャンネルのオーディオ信号を再生する。
【００１２】
本発明の第２の側面によって提供されるオーディオ機器は、複数の他のオーディオ機器がネットワークで接続され、同一のオーディオ信号を再生するペアとなる他のオーディオ機器の設定、および、右チャンネルおよび左チャンネルのいずれか一方を再生チャンネルとする設定を含むペア設定の入力を受け付ける操作部と、他のオーディオ機器とデータ通信を行う第一通信制御部と、ペア設定された他のオーディオ機器に対する親子関係を、ネットワーク上の接続形態に基づく優先順位に基づき、自機に高い優先順位が設定されている場合は親機として決定し、自機に低い優先順位が設定されている場合は子機として決定する決定部と、親子関係を含むペア設定に関連するペア設定情報を記憶する第一記憶部と、オーディオ信号を再生する音声再生部と、を備える。第一通信制御部は、親機である場合には子機となる他のオーディオ機器にオーディオ信号を送信し、子機である場合には親機となる他のオーディオ機器から該オーディオ信号を受信する。音声再生部は、オーディオ信号を遅延するバッファを備え、ペア設定中、オーディオ信号から再生チャンネルのオーディオ信号を抽出し、抽出したオーディオ信号を、親機である場合にはバッファで子機との通信遅延時間だけ遅延させた遅延再生を行い、子機である場合には遅延させない非遅延再生を行う。
【発明の効果】
【００１４】
この発明によれば、２つのオーディオ機器を組み合わせて同期再生を行う場合にステレオ再生を行わせることができる。
【図面の簡単な説明】
【００１５】
【図１】この発明が適用されるオーディオシステムの構成を示す図
【図２】携帯電話機のブロック図
【図３】オーディオ機器のブロック図
【図４】システム管理テーブルの一例を示す図
【図５】ステレオペア設定された２つのオーディオ機器のブロック図
【図６Ａ】オーディオ機器の制御部のステレオ再生処理（遅延再生処理）を示すフローチャート
【図６Ｂ】オーディオ機器の制御部のステレオ再生処理（非遅延再生処理）を示すフローチャート
【図７Ａ】オーディオ機器の制御部のＲｃｈのステレオペア設定処理を示すフローチャート
【図７Ｂ】オーディオ機器の制御部のＬｃｈのステレオペア設定処理を示すフローチャート
【図８】オーディオ機器の制御部のステレオペア解除処理を示すフローチャート
【図９】システム管理テーブルの一例を示す図
【図１０Ａ】同期再生時におけるグループに所属するオーディオ機器間のオーディオ信号の送信形態を説明する説明図
【図１０Ｂ】同期再生時におけるグループに所属するオーディオ機器間のオーディオ信号の送信形態を説明する説明図
【図１１Ａ】携帯電話機の操作画面の一例を示す図
【図１１Ｂ】携帯電話機の操作画面の一例を示す図
【図１２】携帯電話機の制御部のグループ設定処理を示すフローチャート
【発明を実施するための形態】
【００１６】
図１は、本発明が適用されるオーディオシステム１０の構成を示す図である。オーディオシステム１０は、有線ＬＡＮ２および無線ＬＡＮを含むネットワークで接続された複数のオーディオ機器４（４−１１〜４−１５）およびコントローラ１として機能する多機能携帯電話機１を有している。各オーディオ機器４およびコントローラ１は、ネットワークを介して相互にオーディオ信号およびコマンドメッセージの送受信を行う。なお、オーディオシステム１０を構成する各オーディオ機器４は、有線ＬＡＮ機能および２つの無線ＬＡＮ機能を有している。
【００１７】
オーディオシステム１０は、オーディオ機器４−１１〜４−１５のうちグループ設定されたオーディオ機器において同一コンテンツの同期再生が可能である。コンテンツは、各オーディオ機器４−１１〜４−１５が有するＣＤ、ハードディスクなどに記憶されている楽曲データやＦＭ放送などから受信する楽曲データがオーディオソースとなる。楽曲データのファイル形式は、例えば、ＭＰ３、ＷＡＶ、ＳｏｕｎｄＶＱ（登録商標）、ＷＭＡ（登録商標）、ＡＡＣなどである。
【００１８】
また、オーディオシステム１０は、オーディオ機器４−１１〜４−１５のうちペア設定（ステレオペア設定）されたオーディオ機器において同一コンテンツの同期再生におけるステレオ再生が可能である。たとえば、オーディオ機器４−１３，４−１４がステレオペア設定された場合、ステレオ再生として、同一コンテンツの楽曲データ（オーディオ信号）に含まれる右チャンネルのオーディオ信号がオーディオ機器４−１３のスピーカ６１から出力され、左チャンネルのオーディオ信号がオーディオ機器４−１４のスピーカ６１から出力される。なお、ステレオペア設定は、同期再生のグループ設定とは異なる処理である。以下、ステレオペア設定におけるステレオでの同期再生をステレオ再生とし、グループ設定における同期再生を同期再生と表現して区別する。なお、グループ設定および同期再生については後述する。
【００１９】
オーディオシステム１０を構成する各オーディオ機器４は、上述したように有線ＬＡＮ機能および２つの無線ＬＡＮ機能を有している。オーディオ機器４は、２つの無線ＬＡＮ機能の一方を用いてアクセスポイントを起動することができる。オーディオ機器４によって起動されたアクセスポイントは内部アクセスポイント４Ａと呼ばれる。内部アクセスポイント４Ａには、下位のオーディオ機器４が接続される。内部アクセスポイント４Ａは、通常は（後述のイニシャル接続時以外は）ステルスモードで動作しており、他の機器からはその存在を検出されないようになっている。もう一方の無線ＬＡＮ機能は、無線ＬＡＮの子機として機能し、上位のオーディオ機器４の内部アクセスポイント４Ａ、または、外部アクセスポイント３のいずれかに接続される。
【００２０】
有線ＬＡＮ２には、アクセスポイント（外部アクセスポイント）３およびオーディオ機器４−１１が接続されている。オーディオ機器４−１２，４−１３および４−１４は、それぞれ上位のオーディオ機器４−１１，４−１２の内部アクセスポイント４Ａ−１１，４４Ａ−１２に無線ＬＡＮで接続されている。オーディオ機器４−１５は、外部アクセスポイント３に接続されている。また、コントローラ１は、外部アクセスポイント３を介して各オーディオ機器４と通信する。
【００２１】
有線ＬＡＮ２は、たとえばＥｔｈｅｒｎｅｔ（登録商標：ＩＥＥＥ８０２．３）が用いられればよく、無線ＬＡＮは、Ｗｉ−Ｆｉ（ＩＥＥＥ８０２．１１ｇ）が用いられればよい。
【００２２】
各オーディオ機器４は、有線ＬＡＮ２に対する接続の形態に応じてルート機器、ノード機器、リーフ機器、および、ブランチ機器と呼ばれる。ルート機器は、有線ＬＡＮ２に直接（ケーブルで）接続されている最上位の機器である。図１では、オーディオ機器４−１１がルート機器である。ルート機器は、オーディオシステム１０の構築時に最初に登録されたオーディオ機器であり、オーディオシステム１０の基点となる。ルート機器は、下位のオーディオ機器４をネットワークに接続してオーディオシステム１０に参加させるための内部アクセスポイント４Ａを起動する。
【００２３】
ノード機器は、無線ＬＡＮによってルート機器（ルート機器の内部アクセスポイント４Ａ）に接続されている中位の機器である。図１では、オーディオ機器４−１２がノード機器である。ノード機器は、下位のオーディオ機器４をネットワークに接続してオーディオシステム１０に参加させるための内部アクセスポイント４Ａを起動する。
【００２４】
リーフ機器は、無線ＬＡＮによってノード機器（ノード機器の内部アクセスポイント４Ａ）に接続されている下位の機器である。図１では、オーディオ機器４−１３，４−１４がリーフ機器である。
【００２５】
このオーディオシステムでは、高品質のオーディオ信号の伝送のため、ルート機器には２台までのノード機器の接続が許可される。また、各ノード機器には２台までのリーフ機器の接続が許可される。また、内部アクセスポイント４Ａを用いた接続の階層は、ルート機器−ノード機器−リーフ機器の３階層までとする。したがって、ルート機器を頂点とする無線ＬＡＮのツリーにより、ルート機器を含めて７台までのオーディオ機器を接続することができる。ただし本発明において、ツリーの階層の数、および、各オーディオ機器４に接続可能な下位の機器の台数は、この実施形態に限定されない。
【００２６】
ブランチ機器は、上記のツリーとは別に外部アクセスポイント３に無線ＬＡＮで接続され有線ＬＡＮ２を経由してオーディオシステム１０内の他のオーディオ機器４と通信するオーディオ機器４である。図１では、オーディオ機器４−１５がブランチ機器である。オーディオシステム１０において、ブランチ機器の台数に制限はない。なお、リーフ機器およびブランチ機器は、内部アクセスポイント４Ａを起動しない。
【００２７】
携帯電話機１はオーディオシステム制御プログラム７０（図２参照）が起動されることによりオーディオシステムコントローラ（以下、コントローラ）１として機能する。携帯電話機１（コントローラ１）は、オーディオシステム１０に所属するオーディオ機器４とネットワークを介して通信する。コントローラ１は、この通信により、そのオーディオシステム１０内で再生されるオーディオソース（たとえば、どのオーディオ機器４の楽曲をどのオーディオ機器４に配信するかなど）やその音量などを制御する。さらに、コントローラ１として、同期再生を行うグループ設定も行う。
【００２８】
次に、図２のブロック図を参照して、携帯電話機１の構成を説明する。携帯電話機１は、いわゆるスマートフォンと言われる多機能電話機である。携帯電話機１は、携帯通信網である３Ｇ／４Ｇ通信機能、無線ＬＡＮ（Ｗｉ−Ｆｉ）通信機能、および、Ｂｌｕｅｔｏｏｔｈ（登録商標）通信機能を有している。携帯電話機１は、アプリケーションプログラムであるオーディオシステム制御プログラム７０を起動することにより、コントローラ１として機能し、アクセスポイント３経由でオーディオシステム１０のオーディオ機器４と通信し、ユーザの操作に応じたコマンドメッセージをオーディオ機器４に送信してオーディオシステムを制御する。
【００２９】
携帯電話機１は、バス２６上に、制御部２０、操作部３０、メディアインタフェース３１、Ｗｉ−Ｆｉ通信回路３２、３Ｇ／４Ｇ通信回路３３、および、Ｂｌｕｅｔｏｏｔｈ（登録商標）通信部３４を有している。制御部２０は、ＣＰＵ２１、ＲＯＭ（フラッシュメモリ）２２、ＲＡＭ２３、画像プロセッサ２４および音声プロセッサ２５を含んでいる。画像プロセッサ２４には、ビデオＲＡＭ（ＶＲＡＭ）４０が接続され、ＶＲＡＭ４０には表示部４１が接続されている。表示部４１は液晶のディスプレイを含んでいる。ディスプレイには、待ち受け画面や電話番号などが表示される。また、コントローラ１として機能する場合は、オーディオ機器４を制御するための画面が表示される。音声プロセッサ２５には、Ｄ／Ａコンバータを含むアンプ４２が接続され、アンプ４２にはスピーカ１６が接続されている。
【００３０】
画像プロセッサ２４は、待ち受け画面や電話番号等などの種々の映像を生成するＧＰＵ（Ｇｒａｐｈｉｃｓ  Ｐｒｏｃｅｓｓｉｎｇ  Ｕｎｉｔ，グラフィックス・プロセッシング・ユニット）を備えている。画像プロセッサ２４は、オーディオシステム制御プログラム７０が起動された場合には、ＣＰＵ２１の指示に従ってオーディオコントローラの画像を生成し、これをＶＲＡＭ４０上に展開する。ＶＲＡＭ４０上に展開された画像は表示部４１に表示される。
【００３１】
音声プロセッサ２５は、通話音声をエンコード／デコードするＤＳＰ（Ｄｉｇｉｔａｌ  Ｓｉｇｎａｌ  Ｐｒｏｃｅｓｓｏｒ：デジタル・シグナル・プロセッサ）を有している。音声プロセッサ２５は、デコード／生成した音声をアンプ４２に出力する。アンプ４２は、この音声信号を増幅してスピーカ１６に出力する。
【００３２】
無線ＬＡＮ通信回路３２は、ルータ２との間でＩＥＥＥ８０２．１１ｇなどの規格で無線通信を行い、アクセスポイント３を介してオーディオ機器４と通信する。３Ｇ／４Ｇ通信回路３３は、携帯電話通信網を介して、音声通話およびデータ通信を行う。Ｂｌｕｅｔｏｏｔｈ通信部３４は、他のＢｌｕｅｔｏｏｔｈ対応機器と通信し、例えばオーディオ信号の送受信等を行う。
【００３３】
操作部３０は、表示部４１上に形成されたタッチパネル３１（図１１参照）を含み、タッチパネル上のタッチ操作、フリック操作を検出する。オーディオシステム制御プログラム７０が起動されると、表示部４１には、セットアップボタン、スキャンボタンなどの複数の操作子が表示される。操作部３０は、タッチパネル３１でユーザのタッチ操作およびその座標を検出し、どの操作子が操作されたかを判断する。
【００３４】
メディアインタフェース３１にはメモリカード１５が接続される。メモリカード１５は、たとえばマイクロＳＤカードである。オーディオシステム制御プログラム７０は、メモリカード１５またはＲＯＭ２２に保存される。この実施形態では、図２に示したように、オーディオシステム制御プログラム７０はメモリカード１５に保存されるものとする。なお、オーディオシステム制御プログラム７０は、３Ｇ／４Ｇまたは無ＬＡＮのデータ通信によってダウンロードされてもよく、ＲＯＭ２２またはメモリカード１５に予め記憶されていてもよい。また、メモリカード１５には、オーディオシステム１０の構成（システム管理テーブル）を記憶する記憶エリア７１が設定される。
【００３５】
ＲＯＭ２２には、この携帯電話機１の通話やアプリケーションプログラムを実行するための基本プログラムが記憶されている。また、ＲＯＭ２２はフラッシュメモリであり、基本プログラムのほか、ダウンロードされたアプリケーションプログラムなどを記憶することも可能である。ＲＡＭ２３には、ＣＰＵ２０がオーディオシステム制御プログラム７０を実行する際に使用されるワークエリアが設定される。
【００３６】
次に図３を参照してオーディオ機器４の構成について説明する。オーディオ機器４は、制御部５０、オーディオ処理部５１、操作部５９、メモリ６０、点灯回路６１、ＬＥＤ６２、およびスピーカ６３を有するとともに、２つの無線ＬＡＮ通信部（ＲＦモジュール）５６、５７および有線ＬＡＮ通信部５８を有している。操作部５９は、コネクトボタン５９Ａ、再生／停止ボタン５９Ｂ、ボリュームアップボタン５９Ｃおよびボリュームダウンボタン５９Ｄを有している。制御部５０は、ＣＰＵおよびメモリを含み、オーディオシステムプログラム５０Ａを記憶している。制御部５０は、オーディオシステムプログラム５０Ａにより、オーディオ処理部５１、無線ＬＡＮ通信部５６、５７、有線ＬＡＮ通信部５８、および点灯回路６１の動作を制御する。また、制御部５０は、コネクトボタン５９Ａが押下されたとき、このオーディオ機器４をネットワーク（オーディオシステム１０）に接続するための動作であるイニシャル接続動作を実行する。イニシャル接続動作については詳細説明は省略する。
【００３７】
さらに、制御部５０は、再生／停止ボタン５９Ｂが押下されたときオーディオ処理部５１などを制御してオーディオソースの再生動作を実行する。また、制御部５０は、ボリュームアップボタン５９Ｃおよびボリュームダウンボタン５９Ｄが押下されたときオーディオ処理部５１を制御してオーディオソースの音量のアップおよびダウンを行う。また、制御部５０は、再生／停止ボタン５９Ｂとボリュームアップボタン５９Ｃとが同時に長押し（たとえば３秒間押下）されたとき、Ｒｃｈ（右チャンネル）用のステレオペア設定を実行する。さらに、制御部５０は、再生／停止ボタン５９Ｂとボリュームダウンボタン５９Ｄとが同時に長押し（たとえば３秒間押下）されたとき、Ｌｃｈ（左チャンネル）用のステレオペア設定を実行する。ステレオペア設定については後述する。
【００３８】
また、オーディオシステムプログラム５０Ａを実行することにより、コンテンツの同期再生を制御するマスタとなる同期再生コントローラとしても機能する。
【００３９】
無線ＬＡＮ通信部５６は、ＩＥＥＥ８０２．１１ｇなどの無線ＬＡＮ規格でアクセスポイント３および上位のオーディオ機器４と無線通信を行う。また、他の無線ＬＡＮ通信部５７は、アクセスポイント（内部アクセスポイント４Ａ）として起動され、下位のオーディオ機器を有線ＬＡＮ２に中継する。たとえば、オーディオ機器４−１１の無線ＬＡＮ通信部５７であれば、下位のオーディオ機器４−１２を有線ＬＡＮ２に中継する。また、無線ＬＡＮ通信部５７は、このオーディオ機器４のイニシャル接続時にもイニシャル接続用の仮アクセスポイントとして起動され、コントローラ１（携帯電話機１）と通信する。イニシャル接続時の動作は後述する。なお、２つの無線ＬＡＮ通信部５６、５７は、１つのハードウェアを時分割で動作させて実現してもよい。
【００４０】
有線ＬＡＮ通信部５８は、ケーブルコネクタを有し、ＩＥＥＥ８０２．３などの通信規格で有線ＬＡＮ２−アクセスポイント３を介した通信を行う。アクセスポイント３には、携帯電話機１をハードウェアとするコントローラ１が接続されており、制御部５０は、有線ＬＡＮ２または無線ＬＡＮを経由してコントローラ１と通信し、動作状態を送信したり、コマンドメッセージを受信したりする。また、制御部５０は、同期再生を行う際、ネットワークを経由して他のオーディオ機器４と必要なデータの送受信を行う。
【００４１】
内部アクセスポイント４ＡのＳＳＩＤおよびパスワードは、無線ＬＡＮ通信部５７のＭＡＣアドレスから割り出し可能な文字列にされている。たとえば、ＭＡＣアドレスをオクテット表現したものをＳＳＩＤとし、下３オクテット（機種ＩＤ＋シリアル番号）をパスワードとするなどである。これにより、新たにオーディオシステムに参加するオーディオ機器は、ＳＳＩＤに基づいて、すなわち、ＭＡＣアドレスのベンダーＩＤおよび機種ＩＤに基づいて、内部アクセスポイント４Ａを発見することができ、且つ、自らパスワードを生成してその内部アクセスポイント４Ａに接続することができる。これにより、内部アクセスポイント４Ａに接続する場合の、ユーザによるＳＳＩＤ、パスワードの入力を省略することができる。なお、内部アクセスポイント４ＡのＳＳＩＤ、パスワードの生成方式は上記のものに限定されない。
【００４２】
オーディオ処理部５１は、チューナ５２、オーディオ回路５３、バッファ５４およびパワーアンプ５５を有している。チューナ５２は、ＦＭ放送またはインターネットからオーディオ信号を受信してオーディオ回路５３に入力する。オーディオ回路５３は、入力されたオーディオ信号に対してイコライズ、音量調整などの処理を行う。また、オーディオ回路５３は、ステレオペア設定中、ぺアとなる他のオーディオ機器４とのステレオ再生のため、入力されたオーディオ信号からＲｃｈおよびＬｃｈのオーディオ信号を分離する。
【００４３】
たとえば、このオーディオ機器４がステレオペア設定においてＲｃｈ設定であった場合、オーディオ回路５３は、入力されたオーディオ信号からＲｃｈのオーディオ信号を分離する。
【００４４】
そして、オーディオ回路５３は、処理したオーディオ信号を、バッファ５４を経由して、または、バッファ５４を経由せずにパワーアンプ５５に出力する。バッファ５４を経由するか否かは、このオーディオ機器４の同期再生のグループの所属状態（マスタ／スレーブ設定）、ステレオペア設定の状態（親機／子機設定）に応じて決定される。詳細は後述する。
【００４５】
また、オーディオ回路５３は、同期再生などのため他のオーディオ機器４に送信するべく、処理したオーディオ信号を通信部５６，５７，５８に出力可能である。さらに、オーディオ回路５３は、同期再生などのため他のオーディオ機器４から送信されたオーディオ信号も通信部５６，５７，５８を経由して入力される。
【００４６】
バッファ５４は、オーディオ信号を一時的に記憶するメモリであり、ステレオペア設定中において、パワーアンプ５５への出力を所定時間だけ遅延させて、ぺアとなる他のオーディオ機器４との再生を同期させる。遅延時間は、オーディオ再生における他のオーディ機器４との通信遅延時間分が設定される。
【００４７】
パワーアンプ５５は、入力されたオーディオ信号を増幅し、外部接続されているスピーカ６３に出力する。スピーカ６１は、たとえばモノラルスピーカであり、入力されたオーディオ信号を音響として放音する。メモリ６０は、たとえばＥＥＰＲＯＭであり、オーディオシステム１０の構成（システム管理テーブル）などの情報を記憶する。
【００４８】
また、点灯回路６１は、ＬＥＤ６２を点灯させる。たとえば、オーディオ機器４の起動中に点灯し、起動している状態をユーザに報知する。本実施形態では、オーディオ機器４の起動中、再生／停止ボタン５９Ｂのみを長押し（たとえば３秒間）することによって、このオーディオ機器４のステレオペア設定の再生チャンネルの状態を報知する点灯が行われる。Ｒｃｈ設定の場合、短い点滅間隔でＬＥＤ６２が点滅し、Ｌｃｈの場合、Ｒｃｈの場合よりも長い点滅間隔でＬＥＤ６２が点滅する。制御部５０は、後述するシステム管理テーブルのステレオペア設定の情報に基づいて上記点滅動作を制御する。したがって、制御部５０、点灯回路６１およびＬＥＤ６２は、本発明の報知部に対応する。なお、再生チャンネルの報知は、ＬＥＤ６２を用いなくてもよく、たとえばスピーカ６２から再生チャネルを特定できる態様の音響を放音するようにしてもよい。
【００４９】
なお、オーディオ機器４−１１〜４−１５は、それぞれ異なる機器であってよいが、通信機能およびオーディオ信号処理機能の基本的な構成は図３に示したものである。
【００５０】
図４はシステム管理テーブルの一例を示す図である。オーディオシステム１０を構成する各オーディオ機器４およびコントローラ１はそれぞれシステム管理テーブルを記憶している。システム管理テーブルには、オーディオシステム１０に所属するオーディオ機器４の接続位置、機種、上下のＭＡＣアドレス、内部アクセスポイントのＳＳＩＤ、ステレオペア設定、および、グループ設定などが書き込まれる。接続位置は、上述した有線ＬＡＮ２に対する接続形態であり、ルート、ノード、リーフまたはブランチの値を持つ。上下のＭＡＣアドレスは、２つの無線ＬＡＮ通信部５６，５７のＭＡＣアドレスであり、無線ＬＡＮにおいて機器を識別する情報となる。
【００５１】
ステレオペア設定（ペア設定情報）は、ステレオ再生するペアとなる２つのオーディオ機器４に関する情報となる。具体的には、ペア番号、親子関係および再生チャンネル（Ｒｃｈ，Ｌｃｈ）の情報が書き込まれる。ペア番号は、いずれのオーディオ機器４がペアであるかを特定する番号である。親子関係は、ペアとなる２つのオーディオ機器４のいずれが親機であるか子機であるかを特定する情報である。再生チャンネルは、ペアとなる２つのオーディオ機器４のいずれがＲｃｈのオーディオ信号を再生するか、Ｌｃｈのオーディオ信号を再生するかを特定する情報である。本実施形態では、これらの情報が数値情報として（ペア番号，再生チャンネル，親子関係）の順に記述されている。
【００５２】
たとえば、図４では、ペア番号１のリーフ１，２（オーディオ機器４−１３，４−１４）がステレオペア設定されている状態が例示されている。オーディオ機器４−１３が親機のＲｃｈとして設定され、オーディオ機器４−１４が子機のＬｃｈとして設定されている。オーディオ機器４−１３，４−１４は、ステレオペア設定に基づいて親機のオーディオソース（コンテンツ）をステレオ再生する。
【００５３】
また、親機／子機の設定は、各オーディオ機器４の接続位置によって決定される。接続位置には優先順位が対応付けられている。この実施形態では、優先度の高い順からルート（有線接続）、ブランチ（アクセスポイントなどルータ接続）、ノード、リーフとなっている。したがって、接続位置が本発明の優先順位情報に対応する。なお、優先順位が等しい場合は、たとえばＲｃｈ設定のオーディオ機器４を親機とすればよい。また、優先順位は、適宜設定すればよく、また優先順位に基づいて親機／子機の設定を行わなくてもよい。例えば、ユーザ側で親機および子機の設定入力を行うようにしてもよい。
【００５４】
次に、グループ設定は、オーディオシステム１０において、同期再生を行うグループに所属するオーディオ機器４に関する情報となる。上述したステレオペア設定は、ペアとなる２つのオーディオ機器４が組み合わせられたステレオでの同期再生であるが、グループに所属するオーディオ機器４による同期再生は、単に同一のオーディオソースでの同期再生である。なお、図４では、グループ設定されているオーディオ機器４がない状態が例示されている。
【００５５】
次に、外部アクセスポイント情報は、コントローラ１またはブランチ機器４が接続している外部アクセスポイントに関する情報であり、この外部アクセスポイントのＳＳＩＤ、パスワードなどが書き込まれる。なお、システム管理テーブルの記憶内容は図４に示したものに限定されない。
【００５６】
システム管理テーブルは、オーディオシステム１０を制御するコントローラ１が作成し、各オーディオ機器４に配信する。したがって、各オーディオ機器４−１１〜１５の制御部５０は、図４のシステム管理テーブルを記憶している。
【００５７】
コントローラ１は、最初のオーディオ機器４−１１をルート機器として登録することでオーディオシステム１０を構築し、その後このオーディオシステム１０に２台目以降のオーディオ機器４−１２などを追加することができる。また、コントローラ１は、ユーザからグループの登録の操作入力があった場合に、グループ設定を更新し、各オーディオ機器４に送信する。
【００５８】
なお、ステレオペア設定については、コントローラ１を操作しての登録ではなく、ペアとしたいオーディオ機器４に対する操作によって行われる。コントローラ１は、新たに設定されたステレオペア設定の情報を、親機となるオーディオ機器４から受信することで、システム管理テーブルのステレオペア設定を更新し、各オーディオ機器４送信する。
【００５９】
次に、図５のブロック図を参照してステレオ再生について説明する。図５では、図４で例示されているようにオーディオ機器４−１３が、親機およびＲｃｈ設定であり、オーディオ機器４−１４が、子機およびＬｃｈ設定となっている。以下、親機４−１３、子機４−１４とする場合がある。なお、親機４−１３および子機４−１４は、グループに所属していない状態である。
【００６０】
ステレオ再生では、親機４−１３が有するオーディオソースのオーディオ信号の再生が行われる。たとえば、親機４−１３のチューナ５２で受信したＦＭ放送のオーディオ信号をステレオ再生する。ＦＭ放送のオーディオ信号には、ＲｃｈおよびＬｃｈの２チャンネルのオーディオ信号が含まれる。以下、２チャンネルのオーディオ信号が含まれる場合は、オーディオ信号（Ｒ／Ｌ）とし、１チャンネルのオーディオ信号だけの場合は、オーディオ信号（Ｒ）またはオーディオ信号（Ｌ）とする場合がある。
【００６１】
親機４−１３において、チューナ５２からオーディオ信号（Ｒ／Ｌ）を受信したオーディオ回路５３は、入力されたオーディオ信号（Ｒ／Ｌ）に対してイコライズ、音量調整などの処理を行って２つに分配する。そして、親機４−１３のオーディオ回路５３は、そのうちの一つのオーディオ信号（Ｒ／Ｌ）に対してＲｃｈのオーディオ信号（Ｒ）を分離してバッファ５４に出力する。また、親機４−１３のオーディオ回路５３は、分配したオーディオ信号（Ｒ／Ｌ）を無線ＬＡＮ通信部５６に出力する。親機４−１３の無線ＬＡＮ通信部５６は、オーディオ信号（Ｒ／Ｌ）を、子機４−１４（無線ＬＡＮ通信部５６）にデータ送信する。
【００６２】
子機４−１４の無線ＬＡＮ通信部５６は、受信したオーディオ信号（Ｒ／Ｌ）を、オーディオ回路５３に出力する。子機４−１４のオーディオ回路５３は、オーディオ信号（Ｒ／Ｌ）に対してＬｃｈのオーディオ信号（Ｌ）を分離して、バッファ５４を経由せず、パワーアンプ５５に出力する。
【００６３】
親機４−１３では、バッファ５４による遅延によって、オーディオ信号（Ｒ）のスピーカ６６からの出力タイミングを、子機４−１４のスピーカ６３からの出力タイミングに同期させている。すなわち、親機４−１３から子機４−１４へのオーディオ信号の送信による遅延時間分（所定時間）がバッファ５４によって調整される。したがって、最終的に、親機４−１３および子機４−１４のスピーカ６３，６３からＲｃｈおよびＬｃｈの音響が同期した状態で出力される。なお、ステレオ再生におけるバッファ５４経由での再生を遅延再生とし、バッファ５４経由しない再生を非遅延再生とする。
【００６４】
図６は、上述のステレオ再生処理を示すフローチャートを示す。図６（Ａ）は、遅延再生処理をフローチャートであり、図６（Ｂ）は非遅延再生処理を示すフローチャートである。ステレオ再生処理は、たとえば、ユーザがコントローラ１を操作し、指定されたオーディオソースの再生操作コマンドをコントローラ１から親機が受信した場合に実行される。なお、コントローラ１において、ステレオペア設定中の子機は再生操作の対象としては除外される。
【００６５】
上述と同様に、オーディオ機器４−１３を親機４−１３（Ｒｃｈ）とし、オーディオ機器４−１４を子機４−１４（Ｌｃｈ）とし、親機４−１３のＦＭ放送のオーディオソース（オーディオ信号）を再生する例について、ステレオ再生処理を説明する。
【００６６】
親機４−１３は、ＦＭ放送のオーディオ信号（Ｒ／Ｌ）を受信し（ステップＳ１０）、２つに分配する（ステップＳ１１）。次に、親機４−１３は、分配した一方のオーディオ信号（Ｒ／Ｌ）をＲｃｈについて分離すると共に、受信したオーディオ信号（Ｒ／Ｌ）を子機４−１３に送信する（ステップＳ１２）。その後、親機４−１３は、分離したオーディオ信号（Ｒ）をバッファ５４経由でパワーアンプ５５に向けて出力する（ステップＳ１３）。
【００６７】
一方、子機４−１４は、親機４−１３から受信したオーディオ信号（Ｒ／Ｌ）を受信し（ステップＳ２０）、オーディオ信号（Ｒ／Ｌ）をＬｃｈについて分離する（ステップＳ２１）。その後、子機４−１４は、分離したオーディオ信号（Ｌ）を、バッファ５４を経由せずにパワーアンプ５５に向けて出力する（ステップＳ２２）。
【００６８】
そして、親機４−１３および子機４−１４は、再生が停止されるまで上記処理を繰り返し実行してステレオ再生を行う。なお、親機をＬｃｈ、子機をＲｃｈの設定としてもよい。
【００６９】
次に、図７に示すフローチャートを参照してステレオペア設定処理について説明する。図７（Ａ）は、Ｒｃｈのステレオペア設定処理を示すフローチャートである。図７（Ｂ）は、Ｌｃｈのステレオペア設定処理を示すフローチャートである。各ステレオペア設定処理では、ペアとなる２つのオーディオ機器４を特定し、親機および子機の設定およびＲ／Ｌｃｈの設定が行われる。
【００７０】
Ｒｃｈのステレオペア設定処理は、Ｒｃｈでステレオペア設定させたいオーディオ機器４の再生／停止ボタン５９Ｂおよびボリュームアップボタン５９Ｃを同時に長押しした場合に実行が開始される。一方、Ｌｃｈのステレオペア設定処理は、Ｌｃｈでステレオペア設定させたいオーディオ機器４の再生／停止ボタン５９Ｂおよびボリュームダウンボタン５９Ｄを同時に長押しした場合に実行される。すなわち、ステレオペア設定におけるＲ／Ｌｃｈの設定は、上述したようにいずれの組合せのボタンを長押しするかによってステレオペア設定処理の開始時に決定される。
【００７１】
以下、オーディオ機器４−１３の再生／停止ボタン５９Ｂおよびボリュームアップボタン５９Ｃを同時に長押しし、オーディオ機器４−１４の再生／停止ボタン５９Ｂおよびボリュームダウンボタン５９Ｄを同時に長押しした場合を例として説明する。
【００７２】
オーディオ機器４−１３は、システム管理テーブルから自身の接続位置（優先順位情報）およびＭＡＣアドレス１（識別情報）、他のオーディオ機器４−１１，４−１２，４−１５のＭＡＣアドレス１を取得する（ステップＳ３０）。そして、オーディオ機器４−１３は、取得した接続位置およびＭＡＣアドレス１を含む待受通知を、オーディオシステム１０内の他のオーディオ機器４−１１，４−１２，４−１５に向けてマルチキャストで送信する（ステップＳ３１）。
【００７３】
一方、オーディオ機器４−１４は、マルチキャストで送信された待受通知を受信し（ステップＳ４０）、受信した接続位置と、自身の接続位置とを比較して親子関係を決定する（ステップＳ４１）。オーディオ機器４−１３，４−１４では、同じリーフで優先順位としては同じであるため、Ｒｃｈ設定となるオーディオ機器４−１３が親機に決定される。
【００７４】
次に、オーディオ機器４−１４は、自身のシステム管理テーブルを更新する（ステップＳ４２）。具体的には、ステレオペア設定の情報が更新される。その後、オーディオ機器４−１４は、親子関係および自身のＭＡＣアドレス１を含む応答通知（ＡＣＫ）を、ユニキャストでオーディオ機器４−１３に送信する（ステップＳ４３）。この時、オーディオ機器４−１４のイコライザなどのパラメータを合わせて送信してもよい。
【００７５】
その後、オーディオ機器４−１３は、応答通知を受信し（ステップＳ３２）、上述と同様にステレオペア設定の情報について自身のシステム管理テーブルを更新する（ステップＳ３３）。このようにして、システム管理テーブルにおけるステレオ設定が図４に示すような情報に更新される。
【００７６】
たとえば、上述のステレオペア設定処理後、親機４−１３は、コントローラ１に更新情報を送信すればよい。また、コントローラ１は、各オーディオ機器４に更新後のシステム管理テーブルを送信すればよい。これにより、オーディオシステム１０内でのシステム管理テーブルを同期できる。
【００７７】
なお、オーディオ機器４−１３は、ステップＳ３１においてマルチキャストでの送信を行っているが、たとえば５分間繰り返してマルチキャスト送信を行って、応答通知がなければタイムアウトとして処理を終了すればよい。また、オーディオ機器４−１４においても、たとえば、Ｌｃｈのステレオペア設定処理を開始して５分間、待受通知を受信しなかった場合にはタイムアウトとして処理を終了すればよい。
【００７８】
また、Ｒ／Ｌｃｈのステレオペア設定処理は、タイムアウトとならないタイミングで開始すれば、いずれが先に開始されてもよい。
【００７９】
さらに、上述のステレオペア設定処理では、優先順位情報を待受通知に含めて送信して相手のオーディオ機器４において親子関係を決定しているが、各オーディオ機器が全てのオーディオ機器４の優先順位情報を記憶している場合には、各オーディオ機器で親子関係を決定するようにしてもよい。この場合、待受通知に接続位置の情報を含めなくてもよい。また、応答通知に親子関係を含めなくてもよい。
【００８０】
次に、図８に示すフローチャートを参照してステレオペア解除処理について説明する。ステレオペア解除処理では、現在設定されているステレオペア設定が解除（リセット）される。この処理は、親機または子機で解除操作を行うことで開始される。たとえば、親機または子機の再生／停止ボタン５９Ｂおよびボリュームアップボタン５９Ｃを同時に長押しした場合に長押しされた親機（または子機）によって実行が開始される。以下、上述の図１０の例を用いて子機４−１４が再生／停止ボタン５９Ｂおよびボリュームアップボタン５９Ｃを同時に長押しした場合について説明する。
【００８１】
子機４−１４は、解除通知をユニキャストで親機４−１３に送信する（ステップＳ５０）。次に、子機４−１４は、自身のシステム管理テーブルを更新する（ステップＳ５１）。具体的には、親機４−１３および子機４−１４に関するステレオペア設定の情報が削除される。
【００８２】
一方、親機４−１３は、解除通知を受信し（ステップＳ６０）、上述と同様に自身のシステム管理テーブルを更新する（ステップＳ６１）。なお、解除通知を送信してきた子機４−１４へは応答通知は必要ない。これにより、親機４−１３および子機４−１４がネットワークから切断されて通信不能である場合であっても、互いのステレオペア設定を解除することができる。
【００８３】
たとえば、親機４−１３がネットワークから切断されていた場合、子機４−１４からの解除通知を受信できないが、図８に示すように子機４−１４自身は、設定を解除できる。一方、親機４−１３では、別途、ユーザが親機４−１３の再生／停止ボタン５９Ｂおよびボリュームアップボタン５９Ｃを同時に長押しすることで設定が解除される。
【００８４】
次に、図９〜図１１を参照してグループ設定および同期再生について説明する。図９は、システム管理テーブルを示す図である。図１０は、同期再生時におけるグループに所属するオーディオ機器４間のオーディオ信号の送信形態を説明する説明図である。図１１は、コントローラ１のグループ設定時の操作画面の一例を示す図である。
【００８５】
上述したようにシステム管理テーブルにおけるグループ設定は、オーディオシステム１０において、同期再生を行うグループに所属するオーディオ機器４に関する情報となる。具体的には、図１０に示すようなグループ番号、マスタ／スレーブの情報が含まれる。グループ番号は、オーディオ機器４が所属するグループを特定する情報である。マスタ／スレーブは、自身が同期再生におけるマスタであるか、スレーブであるかを特定する情報である。
【００８６】
マスタは、グループ全体へのオーディオソース（コンテンツ）の供給（オーディオ信号の配信）および同期再生の制御を担当するとともに、また自身も同期再生の１機器として機能する。たとえば、マスタは、各オーディオ機器４（スレーブ）が同期再生できるように、再生開始タイミングなどを各スレーブに通知する。スレーブは、同期再生マスタの指示にしたがって受信したオーディオソース（オーディオ信号）を再生する。たとえば、図９では、オーディオ機器４−１２〜４−１４がグループ１に所属し、マスタとしてオーディ機器４−１３が設定され、スレーブとしてオーディオ機器４−１２，４−１４が設定されている。
【００８７】
なお、同期再生の制御は、特開２０１５−１０００８５号公報に記載されているような一般的な技術を適用すればよく、詳細な説明は省略する。また、本実施形態では、１のグループにおいて所属できるオーディオ機器４の台数は２以上である。
【００８８】
本実施形態では、グループに所属するオーディオ機器４として、ステレオペア設定されている親機及び子機を含めてもよい。この場合、親機および子機においては、グループに所属する他のオーディオ機器４とのコンテンツの同期再生を、ステレオ再生で行う。なお、親機および子機は、ユーザからは一体のオーディオ機器として認識され、親機または子機の単独で１のグループに所属させることはできない。
【００８９】
また、ステレオペア設定がされているオーディオ機器４がグループに所属する場合、マスタとなるオーディオ機器４が、ステレオペア設定の親機である場合（図１０（Ａ））と、ステレオペア設定されていないオーディオ機器４である場合（図１０（Ｂ））とで、マスタから配信（送信）されるオーディオ信号は同様であるが、再生処理が異なってくる。
【００９０】
具体的には、親機がマスタである場合には親機は遅延再生を行うが、親機がスレーブである場合には親機は遅延再生を行わず、子機と同様の非遅延再生を行う。また、親機がスレーブである場合には、親機は子機にオーディオ信号（Ｒ／Ｌ）を送信しない。なお、本実施形態では、子機がマスタになることはない。親機および子機は、ユーザからは一体のオーディオ機器として認識され、ユーザはグループ設定において子機をマスタに設定することができないためである。
【００９１】
たとえば、図１０（Ａ）に示すように、マスタが親機４−１３（オーディオ機器４−１３）である場合について説明する。図１０（Ａ）に示すグループは、マスタが親機４−１３であり、スレーブがオーディオ機器４−１２および子機４−１４（オーディオ機器４−１４）となっている。
【００９２】
マスタである親機４−１３は、無線ＬＡＮ通信部５６から同期再生の対象であるコンテンツとなるオーディオ信号（Ｒ／Ｌ）を３つに分配して、スレーブのオーディオ機器４−１２および子機４−１４に配信（送信）する。また、親機４−１３は、分配した１のオーディオ信号（Ｒ／Ｌ）からＲｃｈのオーディオ信号（Ｒ）を分離し、バッファ５４経由でパワーアンプ５５に出力する（遅延再生）。
【００９３】
一方、オーディオ機器４−１２および子機４−１４は、マスタである親機４−１３に指定された同期再生の開始時間に再生を開始する。なお、子機４−１４も、受信したオーディオ信号（Ｒ／Ｌ）からオーディオ信号（Ｌ）を分離し、バッファ５４経由せずパワーアンプ５５に出力する（非遅延再生）。これにより、親機４−１３および子機４−１４のスピーカ６５，６５からは、ＲｃｈおよびＬｃｈの音響が出力（ステレオ出力）される。なお、オーディオ機器４−１２のスピーカ６５からは、受信したオーディオ信号（Ｒ／Ｌ）が、たとえばダウンミックスされてバッファ５４を経由せずにパワーアンプ５５に出力（モノラル出力）される。
【００９４】
次に、図１０（Ｂ）に示すように、マスタが親機ではないオーディオ機器４−１１である場合について説明する。図１０（Ｂ）に示すグループは、マスタが親機４−１１であり、スレーブがオーディオ機器４−１２，親機４−１３（オーディオ機器４−１３）および子機４−１４（オーディオ機器４−１４）となっている。
【００９５】
マスタであるオーディオ機器４−１２は、無線ＬＡＮ通信部５６から同期再生の対象であるコンテンツとなるオーディオ信号（Ｒ／Ｌ）を４つに分配して、スレーブのオーディオ機器４−１２、親機４−１３および子機４−１４に配信（送信）する。また、オーディオ機器４−１２は、分配した１のオーディオ信号（Ｒ／Ｌ）を、たとえばダウンミックスしてバッファ５４を経由せずにパワーアンプ５５に出力（モノラル出力）する。
【００９６】
一方、オーディオ機器４−１２、親機４−１３および子機４−１４は、マスタであるオーディオ機器４−１１に指定された同期再生の開始時間に再生を開始する。この場合、親機４−１３および子機４−１４は、それぞれ受信したオーディオ信号（Ｒ／Ｌ）からオーディオ信号（Ｒ）およびオーディオ信号（Ｌ）を分離し、バッファ５４経由せずパワーアンプ５５に出力（ステレオ出力）する（非遅延再生）。また、親機４−１３は、オーディオ信号（Ｒ／Ｌ）を、子機４−１４には送信しない。
【００９７】
次に、図１１を参照してグループ設定について説明する。グループ設定は、ユーザがコントローラ１のタッチパネル３１を操作して行うことができる。図１１（Ａ）は、グループ設定におけるマスタとなるオーディオ機器４を選択する操作画面（表示部４１）である。図１１（Ｂ）は、グループ設定におけるスレーブとなるオーディオ機器４を選択する操作画面（表示部４１）である。
【００９８】
グループに所属させるオーディオ機器４の選択は、最初にマスタとなる１のオーディオ機器４をユーザに選択させる。その後、スレーブとなる１以上のオーディオ機器４をユーザに選択させる。そして、最終的に確定ボタン（不図示）を選択することでグループ設定が完了する。
【００９９】
マスタおよびスレーブを選択する操作画面には、オーディオ機器４の機種名が表示される。なお、本実施形態では、ステレオペア設定されているオーディオ機器４は、親機の機種名のみが表示される。たとえば、親機４−１３および子機４−１４である場合、親機４−１３の機種名「スピーカ」のみが表示され、子機４−１４の機種名は表示されない。この場合、ユーザがステレオペア設定中を特定できるように表示してもよい。たとえば、親機４−１３の機種名を「スピーカ（ペア）」と表示してもよい。そして、ステレオペア設定が解除された場合には、オーディオ機器４−１３の機種名を「スピーカ」に戻し、さらにオーディオ機器４−１４の機種名「スピーカ」を表示する。
【０１００】
次に、図１２を参照して上述したグループ設定処理について説明する。グループ設定処理は、ユーザがコントローラ１を操作して図１１（Ａ）に示すような操作画面を表示させた際にコントローラ１によって実行される。
【０１０１】
コントローラ１は、最初に図１１（Ａ）に示すようなマスタを選択するための操作画面を表示させ（ステップＳ７０）、マスタとなるオーディオ機器４がユーザによって選択されるまで待機する（ステップＳ７１）。マスタとなるオーディオ機器４が選択された場合（ステップＳ７１でＹＥＳ）、コントローラ１は、図１１（Ｂ）に示すようなスレーブを選択するための操作画面を表示させ（ステップＳ７２）、スレーブとなるオーディオ機器４がユーザによって選択されるまで待機する（ステップＳ７３）。
【０１０２】
スレーブとなる１つのオーディオ機器４が選択された場合（ステップＳ７３でＹＥＳ）、コントローラ１は、選択されたオーディオ機器４を識別できるように操作画面の表示を更新する（ステップＳ７４）。たとえば、図１１（Ｂ）に示すように、選択されたオーディオ機器４のチェックボックスにチェックマークを表示させる。その後、コントローラ１は、確定ボタン（アイコン画像）が操作されるまで（ステップＳ７５）、ステップＳ７３、Ｓ７４を繰り返し実行する。
【０１０３】
そして、確定ボタンが操作された場合（ステップＳ７５でＹＥＳ）、コントローラ１は、システム管理テーブルを更新する（ステップＳ７６）。具体的には、グループ設定の情報が更新される。なお、グループに所属するオーディオ機器４として親機が選択されている場合には、子機もグループのスレーブとして所属するオーディオ機器４としてシステム管理テーブルのグループ設定の情報が更新される。たとえば、図９に示すように、グループ１として親機４−１３が選択された場合、子機４−１４もグループ１のスレーブとして所属するようにグループ設定の情報が更新される。
【０１０４】
その後、更新されたシステム管理テーブルが、コントローラ１から各オーディオ機器４に送信される。
【０１０５】
以上のように、２つのオーディオ機器４を組み合わせて同期再生を行う場合にステレオ再生を行わせることができる。したがって、オーディオシステム１０の機能性を向上させることができる。
【０１０６】
上述の実施形態では、１のステレオペアの設定のみが行われていたが、複数のステレオペアを設定してもよい。
【０１０７】
また、上述の実施形態では、図７に示すようにステレオペアとなる相手（他のオーディオ機器）を探索する構成であるが、特にこれに限定されるものではない。ユーザが手動で再生チャンネルや親子関係などのステレオペア設定を行ってもよい。また、ステレオペア設定を携帯電話機で行ってもよい。
【０１０８】
上述の実施形態では、オーディオシステムに所属するオーディオ機器の全てがステレオペア設定の対象であるとして説明したが、ステレオペア設定の対象とならないオーディオ機器が含まれていてもよい。
【符号の説明】
【０１０９】
１  携帯電話機（コントローラ）
４（４−１１〜４−１５）  オーディオ機器
１５  メモリカード
２０  制御部（携帯電話機）
４１  表示部
５０  制御部（オーディオ機器）
５０Ａ  オーディオシステムプログラム
５１  オーディオ処理部
５４  バッファ
５６，５７  無線ＬＡＮ通信部
５８  有線ＬＡＮ通信部
５９  操作部
６１  スピーカ
７０  オーディオシステム制御プログラム
【図１】
0006668636.tif 000002
【図２】
0006668636.tif 000003
【図３】
0006668636.tif 000004
【図４】
0006668636.tif 000005
【図５】
0006668636.tif 000006
【図６】
0006668636.tif 000007
【図７】
0006668636.tif 000008
【図８】
0006668636.tif 000009
【図９】
0006668636.tif 000010
【図１０】
0006668636.tif 000011
【図１１】
0006668636.tif 000012
【図１２】
0006668636.tif 000013